(57)【要約】【課題】避雷回路が備えられたコネクタユニットを机に一体的に設けるにおいて、避雷機能をより向上させると共に、コネクタユニットが邪魔になることを防止する。【手段】机の脚はスチール製であり、その基部３ａは中空になっている。脚３の基部３ａに前向き開口の窓穴１８を空けて、この窓穴１８を介してコネクタユニット１９を脚３の内部に嵌め込み装着している。コネクタユニット１９は、脚３をスチルー板で囲われているため、避雷回路部やケーブルが電磁波の影響を受けることを防止できる。また、コネクタユニット１９が人の歩行等の邪魔になることもない。【選択図】      図３
2004351109.tif 000002
【特許請求の範囲】
【請求項１】
必須の基本構成要素として天板とその支持手段とを備え、任意の構成要素として幕板や配線用受樋のような附属物を備えており、前記天板又は支持手段若しくは附属物を、その全体又は一部が中空となる形状に形成し、その中空部内に、電源用プラグ又は通信用プラグ若しくは両方を接続できる差し込み口とこれに接続された回路部を組み込んだコネクタユニットを内蔵している、
机。
【請求項２】
必須の基本構成要素として天板とその支持手段とを備え、任意の構成要素として幕板や配線用受樋のような附属物を備えており、前記天板又は支持手段若しくは附属物に、電源用プラグ又は通信用プラグ若しくは両方を接続できるコネクタユニットが脱落しない状態に取付けられている机であって、
前記コネクタユニットに、雷の影響を遮断する避雷回路のような異常吸収回路を組み込んでいる、
机。
【請求項３】
前記コネクタユニットを、脚又は天板若しくは附属物に、着脱可能に若しくは回路部を外側に露出させ得る状態まで姿勢変更させ得るように取付けている、
請求項１又は請求項２に記載した机。
【請求項４】
前記天板の支持手段は脚であり、この脚と前記天板とのうちいずれか一方又は両方が金属板製でかつ中空に形成されており、この金属板より成る脚又は天板の中空部内に、前記コネクタユニットを、プラグの差し込み口が中空部の外側に開口するような姿勢で配置している、
請求項２又は請求項３に記載した机。
【請求項５】
前記コネクタユニットは金属板製のケースを備えており、このケースにより、プラグが差し込まれる差し込み部と前記異常吸収回路とを覆っている、
請求項１〜請求項４のうちの何れかに記載した机。
【請求項６】
前記コネクタユニットには、異常が発生したときにこれを知らせる警報ランプと警報ブザー、及び警報ブザーの鳴動を停止させる消音ボタンを、人目に触れ得る状態で設けており、消音ボタンを押すと警報ブザーの鳴動は停止するが警報ランプは点灯し続けるように設定している、
請求項１〜５のうちの何れかに記載した机。
【発明の詳細な説明】
【０００１】
【発明の属する技術分野】
本発明は、電源用の通信用のためのコネクタユニットを備えている机に関するものである。
【０００２】
【従来の技術】
近年のオフィスではパソコンやＣＡＤ、或いはオンラインシステムの端末のような様々の電子機器が普及しており、これら電子機器を机上に設置して使用している（本体は床に置かれることも多い）。そして、これら電子機器には当然のことながら電源用や通信用のケーブルを接続する必要がある。
【０００３】
電源や通信用の元線は建物の外から建物の内部に引かれており、元線への接続口となる電源用コンセントや通信用コネクタは、一般に建物の壁に設けていることが殆どである。そして、一般には、建物の壁に接続口にパソコンのケーブルを直接に接続したり、合成樹脂で本体を形成しているテーブルタップを介して接続したりしていることが多い。
【０００４】
他方、例えば特許文献１にあるように、電源用コンセントのようなコネクタユニットを机の脚等に一体的に設けることも従来から行われている。また、天板の背面箇所に配線スペースを設けている机では、この配線スペースに着脱式のコネクタユニットを配置しているものもある。
【０００５】
【特許文献１】
実公昭６０−１７１３７号公報
【０００６】
【発明が解決しようとする課題】
ところで、パソコンのような電子機器を正常に作動させるには安定した電圧・電流が必要であり、例えば雷の影響で電源線に過電流が流れると誤差動や機能停止を引き起こすことがある。通信線についても同様で、雷の影響で通信線に強い電磁波が作用すると障害を引き起こす虞がある。
【０００７】
そこで、電源線や通信線が雷の影響を受けることを防止するため、電源線や通信線から雷の影響を吸収する避雷回路が開発されており、電源用テーブルタップや通信用コネクタに避雷回路を内蔵することが行われている。
【０００８】
これら避雷回路内蔵のテーブルタップや通信用コネクタは一種の延長コードに過ぎず、床においたり机上に置いたりしてパソコン等のプラグを接続するという使用形態になるが、何れにしても、体裁が悪くなったりホコリが溜まったりするという問題があった。
【０００９】
特に、避雷回路を設けると通常のテーブルタップより大型になるため、人の目に付きやすくて体裁が悪くなりがちであり、また、床に置くと人が躓きやすかった。机の脚の側面等に保持できるようにマグネット付きのテーブルタップもあるが、振動やケーブルの重みでずり下がりやすいという問題があった。
【００１０】
他方、前記したように机にコネクタユニットを一体に設けている場合は、このコネクタユニットに避雷回路付きのテーブルタップを接続してこれにパソコン等を接続するか、或いは、避雷回路付きのテーブルタップを机のコネクタユニットと建物の接続口とに介在させるかすることになるが、これではケーブルが異常に長くなるため体裁等の問題が一層顕著に現われ、かつ、無駄も多い。
【００１１】
本発明は、このような現状を改善することを課題とするものである。
【００１２】
【課題を解決するための手段】
本発明は、机を改良することによって前記した課題を解決せんとするものである。このうち請求項１の発明に係る机では、必須の基本構成要素として天板とその支持手段とを備え、任意の構成要素として幕板や配線用受樋のような附属物を備えており、前記天板又は支持手段若しくは附属物を、その全体又は一部が中空となる形状に形成し、その中空部内に、電源用プラグ又は通信用プラグ若しくは両方を接続できる差し込み口とこれに接続された回路部を組み込んだコネクタユニットを内蔵している。
【００１３】
請求項２の発明では、必須の基本構成要素として天板とその支持手段とを備え、任意の構成要素として幕板や配線用受樋のような附属物を備えており、前記天板又は支持手段若しくは附属物に、電源用プラグ又は通信用プラグ若しくは両方を接続できるコネクタユニットが脱落しない状態に取付けられている机であって、前記コネクタユニットに、雷の影響を遮断する避雷回路のような異常吸収回路を組み込んでいる。
【００１４】
請求項３の発明は、請求項１又は請求項２において、前記コネクタユニットを、脚又は天板若しくは附属物に、着脱可能に若しくは回路部を外側に露出させ得る状態まで姿勢変更させ得るように取付けている。なお、この請求項３においてコネクタユニットを姿勢変更可能に取付ける態様には、姿勢変更によって回路部が直ちに露出する態様と、姿勢変更させてケースやカバーを取り外すと回路部を露出する態様との両方を含んでいる。
【００１５】
請求項４の発明では、オフィス用の机の場合は脚や天板はスチール板製としている場合が多いことに着目し、好適な態様として、金属板より成る脚又は天板の中空部内に、前記コネクタユニットを、プラグの差し込み口が中空部の外側に開口するような姿勢で配置している。
【００１６】
請求項５の発明では、前記コネクタユニットは金属板製のケースを備えており、このケースにより、プラグが差し込まれる差し込み部と前記異常吸収回路とを覆っている。
【００１７】
請求項６の発明では、前記コネクタユニットには、異常が発生したときにこれを知らせる警報ランプと警報ブザー、及び警報ブザーの鳴動を停止させる消音ボタンを、人目に触れ得る状態で設けており、消音ボタンを押すと警報ブザーの鳴動は停止するが警報ランプは点灯し続けるように設定している。
【００１８】
【発明の作用・効果】
≪請求項１の効果≫
請求項１のように、プラグの差し込み口と回路部とを１つにユニット化してこれを机の中空部に内蔵すると、回路部は机の中空部で保護されるため、物が当たって傷付くようなことを防止できる。
【００１９】
≪請求項２の効果≫
本発明では、避雷回路のような異常吸収回路が組み込まれているコネクタユニットを脚等に一体に取付けているため、雷等の影響を回避してパソコン等の電子機器に障害が発生することを防止又は著しく抑制できるものでありながら、コネクタが床や机上に散乱することを防止してすっきりした状態に配線できる。
【００２０】
また、机を移動させる場合、パソコン等の電子機器からのケーブルはコネクタユニットに接続したままで良いため、机のレイアウトの変更に際しての手間も軽減できる。
【００２１】
≪請求項３の効果≫
ところで、コンセントユニットに組み込んだ回路部は、全体を交換したり電子部品を交換したりしなければならないことがある。この場合、請求項３のように構成すると、コンセントユニットごと取り外したり姿勢変更したりすることにより、回路部の交換や点検等を簡単に行うことができる。
【００２２】
≪請求項４の効果≫
ところで、雷がパソコン等の電子機器に障害を与える態様としては、建物の外部から異常な電流が電源線や通信線を伝わってくる場合と、室内の大気を通じて直接にケーブルに作用する場合とがあり、パソコンのような電子機器の場合、室内の大気を通じてケーブルや避雷回路に直接に作用する影響も防止するのが好ましい。
【００２３】
しかし、従来のように本体が合成樹脂から成る避雷機能付きテーブルタップやコネクタでは、建物の外部から電源線や通信線に伝わってくる障害はカット（吸収）することができても、室内の大気を通じて避雷回路に直接に作用する影響はカットすることができず、雷対策が万全とは言えなかった。
【００２４】
また、例えば室内で工事用電器機器を使用するなどして室内に異常電波（ノイズ）が発生することがあるが、このような異常電波から避雷回路を保護することも不完全であった。
【００２５】
これに対して請求項４の発明は、金属板は電磁波のシールド機能を有していることを利用したもので、脚又は天板を構成する金属板製（一般にスチール板製）でコネクタユニットが保護されるため、室内の大気を通じて伝播した電磁波によって異常吸収回路等が悪影響を受けることを防止又は著しく抑制することができる。
【００２６】
この場合、脚や天板がもともと金属板で中空に形成されていることを利用してコネクタユニットを脚又は天板に内蔵するものであるから、コネクタユニットが脚や天板の外側に出っ張ることはなくてすっきりとさせるさせることができると共に、コネクタユニットに物が当たるような事故も著しく抑制できる。また、重量の増大や構造の複雑化も回避又は抑制することができる。
【００２７】
≪請求項５の効果≫
請求項５のように構成すると、コネクタユニットを構成する回路等は金属板製のケースで保護されるため、大気から伝播する電磁波の悪影響を大幅にカットすることができる。従って、請求項２と組み合わせると電磁波の悪影響をより効果的に抑制することができ、また、コネクタユニットを脚等の部材の外面に取付けた場合でも、従来の避雷機能付きテーブルタップやコネクタに比べて電磁波の影響を格段に抑制することができる。
【００２８】
≪請求項６の効果≫
従来のテーブルタップや通信用コネクタにおいて、避雷機能の有無には関係なく機能障害が発生したときにその事実を表示する警報ランプや警報ブザーを設けることが行われている。しかし、テーブルタップやコネクタは机の後ろのように人目の付かないところに置いていることが多いため、警報ランプだけでは点灯の事実を視認できずにランプを設けた意味が無くなることがあった。
【００２９】
他方、警報ブザーのみでは鳴り続けるとやかましく、さりとて一定の時間で鳴りやむものでは、人が不在の時に異常が発生して鳴動していると異常事態に人が気が付かなくなる。
【００３０】
これに対して請求項６のように構成すると、異常事態をブザーでも人に知らせるため、コネクタユニットを例えば天板の下方のように人目に付きにくい所に設置していても異常事態を確実に把握することができ、かつ、警報音は停止してもランプは点灯し続けているため、異常の原因を人に把握させて対策を採らせることができる。
【００３１】
コネクタユニットの異常事態としては、例えば避雷回路等の回路の耐用期間経過や、過電流の検知、通信線に流れた異常ノイズの検知、断線など幾つかあることが多い。そこで、警報ランプは異常態様の内容に応じて複数個設けておく一方、警報ブザーは１つだけ設けておくと、どのような異常であっても警報音によって人の注意を喚起しつつ、異常事態の内容はランプで把握させて原因を除去する対策を採ることができるため、特に好適である。
【００３２】
【発明の実施形態】
次に、本発明の実施形態を図面に基づいて説明する。
【００３３】
（１）．第１実施形態（図１〜図６）
図１〜図６では第１実施形態を示している。このうち図１（Ａ）は全体の斜視図、図１（Ｂ）は天板を取り外した状態での斜視図、図２は分離斜視図であり、まず、これらの図に基づいて机の概要を説明する。なお、本明細書及び図面では、ケーブルの種類を特に峻別する必要がない場合は「Ｃ」の符号で総称する。
【００３４】
▲１▼．概要
机１は、平面視長方形の天板２と、左右一対の脚３と、左右脚３の背面に固定した幕板４とを備えている。天板２と脚３と幕板４は、それぞれ全部又は大部分がスチール製（金属板製）である（本実施形態の場合、脚３だけをスチール等の金属板製とすれば良く、天板２や幕板４は木製や合成樹脂製でも良い）。
【００３５】
天板２の後端と幕板４の上端部との間には配線用空間６が空いている。一点鎖線で示すように、天板２の下方の空間には移動式のワゴン（袖キャビネット）７を配置できる。
【００３６】
天板２の上面には電子機器の一例としてのパソコンのディスプレイ８やキーボード９及びマウス１０を載せており、また、天板２の下方の床面のうち左脚３に近接した部分にパソコンの本体１１を設置している（本体１１は右脚３の側に寄せて設置しても良いし、机上に設置しても良い）。
【００３７】
左右の脚３は、中空で板状の基部３ａと、この基部３ａの下端部から前向きに延びる下アーム３ｂと、基部３ａの上端部から前向きに延びる上アーム３ｃとで側面視前向き開口コ字状に形成されている。そして、左右脚３における基部３ａの前面板に前向き開口の窓穴１８を形成し、一方の脚（左脚）３の内部には窓穴１８を介してコネクタユニット１９を嵌め込み装着し、他方の脚（右脚）３の窓穴１８はカバー２１で塞いでいる。
【００３８】
左右の脚３に窓穴１８を空けているのは、何れか一方又は両方の脚３にコネクタユニット１９を内蔵できるようにするためである。勿論、いずれか一方の脚３だけにコネクタユニット１９を内蔵することも可能である。
【００３９】
▲２▼．コネクタユニット
次に、図３〜図５も参照してコネクタユニット１９の詳細を説明する。図３はコネクタユニット１９を設けている脚３の部分斜視図、図４は机１の平断面図、図５は図３の  Ｖ−Ｖ視断面図であり、（Ａ）は上部を示す図、（Ｂ）は下部を示す図である。
【００４０】
コネクタユニット１９は、脚３の基部３ａに入り込む直方体状のケース２２を備えている。ケース２２は例えば鋼板のような金属板製であり、その内部に、電源用コンセント部２３と通信用コネクタ２４、及び、これらに対する雷の影響を吸収するための避雷回路部２５，２６とを受けている。回路部２５，２６は基板に設けている。
【００４１】
本実施形態では、電源用コンセント部２３には４つのプラグ挿入口２３ａが空いており、通信用コネクタ部２４には２つのプラグ挿入口２４ａが空いているが、プラグ挿入口２３ａ，２４ａの口数は任意に設定できる。
【００４２】
本実施形態では、電源用コンセント部２４のプラグ挿入口２４ａは円弧状になっており、プラグ２７を差し込んで若干の角度だけ回転させることによって当該プラグ２７が抜けないようになっている。もちろん、プラグ挿入口２４ａはプラグ２７の形状に応じて設定したら良く、単にプラグ２７を抜き差しするだけの形態でも良い。
【００４３】
コネクタユニット１９は、ケース２２に固定された合成樹脂製（金属製でも良い）のフロントパネル２８を備えており、フロントパネル２８の上下両端部を、脚３の内部に形成した受け片２９にねじ３０で固定している。
【００４４】
フロントパネル２８の上部には、２個の警報ランプ３１と１個ずつの警報ブザー３２及び消音スイッチ３３とが露出している。いずれか一方の警報ランプ３１が点灯すると計報ブザー３２も鳴動する。また、消音スイッチ３３を押すと警報ブザーの鳴動は停止する。
【００４５】
電源用コンセント部２３や通信用コネクタ部２４はフロントパネル２８に裏側から嵌め込まれている。また、電源用コンセント部２３や通信用コネクタ部２４等はベース板３４に固定されており、ベース板３４に、電源用避雷回路部２５と通信用避雷回路部２６とを設けている。電源用避雷回路部２５と通信用避雷回路部２６とには、それぞれ外部入力ケーブル３７，３８が接続されている。
【００４６】
なお、コネクタユニット１９はフロントパネル２８やベース板３４のような部材を備えている必要はなく、スペース等の様々の条件に応じて自由に設計することができる。また、コネクタユニット１９は脚３にねじ３０で固定する必要はなく、例えば弾性変形する爪を利用して着脱自在に取付けることも可能である。
【００４７】
図５（Ｂ）に示すように、脚３の背面板３９又は下面板４０のうちいずれか一方又は両方に、ケーブル挿通穴４１を形成している。ケーブル挿通穴４１は、電源用外部入力ケーブル３７に接続したプラグを抜き差しできる程度の大きさであるのが好ましい。ケーブル挿通穴４１は脚３の側板に空けても良い。
【００４８】
図５（Ｂ）に示すように、外部入力ケーブル３７，３８の途中のうちコネクタユニット１９に近い部分に挿脱自在な一対ずつの中間コネクタ３７ａ，３８ａを設けておくと、コネクタユニット１９を脚３から取り外してから中間コネクタ３７ａ，３８ａの接続を解除することにより、コネクタユニット１９だけを取り外して持ち運びできるため、部品の交換や点検等の作業がいっそう容易になって好適である。
【００４９】
▲４▼．使用例
図６では机１の使用例を示している。コネクタユニット１９の電源用外部入力ケーブル３７は商用電源のコンセント４８に接続されている。パソコンの本体１１とディスプレイ８との電源ケーブル４９，５０はコネクタユニット１９に接続されている。
【００５０】
コネクタユニット１９の通信用外部入力ケーブル３８は建物の元コネクタ５１に接続されており、かつ、パソコンの本体１１の通信用入力ポート５２とコネクタユニット１９の通信用コネクタ部２４とが第１通信用中間ケーブル５３で接続されており、更に、本体１１とディスプレイ８との通信用端子は第２通信用中間ケーブル５４で接続されている。
【００５１】
そして、コネクタユニット１９はスチールよりなる脚３の中空部に内蔵されているから、室外から高エネルギーの電磁波が伝播したり、室内の電器機器等から電磁波ノイズが発生したりしても、それら高エネルギー電磁波やノイズが避雷回路部２５，２６に伝わることを遮断して、パソコンに障害が現れることを防止することができ、また、コネクタユニット１９も保護される。
【００５２】
外部入力用ケーブル３７，３８の一部も脚３で覆われるため、それら外部入力用ケーブル３７，３８に高エネルギー電磁波やノイズが伝播することも抑制できる。
【００５３】
また、もともと中空に形成されている脚３を利用してこれにコネクタユニット１９を内蔵するもので、いわば、デッドスペースを利用してコネクタユニット１９を設けるものであるから、コネクタユニット１９が邪魔になることもない。
【００５４】
ところで、脚３が本実施形態のように側面視で前向き開口したコ字状であると（この形態の脚は家具業界ではＬ脚と呼ばれることが多い）、上下のアーム３ｂ，３ｃの間の空間は一種のデッドスペースとなっているため、この空間にケーブルＣがあっても邪魔にはならない。
【００５５】
このため、本実施形態のようにケーブル類Ｃの差し込み口を脚３における基部３ａの前面に望ませると、ケーブル類やプラグを邪魔にならない状態に配置することができる。また、人は机の前で腰を降ろして手を伸ばすとコネクタユニット１９の前面に手が届くため、プラグの抜き差しも簡単に行える。なお、図１に一点鎖線で部分的に示すように、脚３に、コネクタユニット１９及びケーブル類Ｃを覆うカバー５７を着脱自在に装着することも可能である。
【００５６】
本実施形態では警報ランプ３１は２個設けており、これらは、例えば、避雷回路部２３，２４の耐用期間経過又は機能ダウンを表示するものと、過電流が流れたことを表示するものとすることができる。そして、何れかの警報ランプ３１の点灯と共に警報ブザー３２が鳴動するため、コネクタユニット１９を脚３に設けていても、机１の使用者に異常事態を確実に知得せしめて、異常の内容を視認させることができる。
【００５７】
そして、異常の内容を確認してから、消音ボタン（消音スイッチ）３３を押して警報ブザー３２を消音し、それから、異常事態の原因が無くなるように対処する。異常事態の原因が除去されるまで警報ランプ３１は点灯し続ける。このように、コネクタユニット１９に異常が発生した場合、ランプとブザーとで二重警告して的確に対処することができる。
【００５８】
なお、過電流を検知しても通電の遮断は行わずに警報を発し、使用電力が少なくなるように使用者が対処するのを待つように設定している（通電を遮断すると、パソコンのソフトやネットワークに回復不能な障害が発生する虞があるからである）。
【００５９】
過電流が流れた場合、その電流がコネクタユニットの定格電流よりも大きいと、警報を発する前にブレーカが落ちてパソコンに大きな障害を与える虞がある。これでは警報ランプや警報ブザーを設けた意味がなくなる。
【００６０】
そこで、過電流の警報を発するレベルはコネクタユニットの定格電流（或いは建物の電源部での定格電流）と同じかそれよりも低い値に設定しておく（低い値が好ましい）。これにより、突然に通電が遮断してパソコンに障害を与えることを防止できる。程度の時間（例えば２〜５分）が経過してから通電を遮断するように設定することも可能である。
【００６１】
（２）．第２〜第３実施形態（図７〜図８）
図７に示す２実施形態では、脚３における基部３ａの内側板に窓穴１８を空けて、この窓穴１８を介して脚３の内部にからコネクタユニット１９を嵌め込んでいる。この例ではコネクタユニット１９は脚３の基部３ａにねじで固定されており、プラグの差し込み口は脚３の外側に露出している。
【００６２】
図８に示すのは第３実施形態であり、（Ａ）は斜視図、（Ｂ）は（Ａ）のＢ−Ｂ視断面図である。この実施形態もコネクタユニット１９は脚３の内側板に空けた窓穴１８から嵌め込み装着されている。
【００６３】
但し、第２実施形態とは異なって、この実施形態では、窓穴１８の開口縁の下端に、当該窓穴１８を塞ぐ形態の金属板製パネル５９を蝶番６０にて回動自在に取付け、このパネル５９の内面にコネクタユニット１９を取付けている。
【００６４】
この実施形態では、コネクタユニット１９を脚３の内部に嵌め入れた状態でプラグ差し込み口は上向きに開口しており、従って、プラグ２７も脚３の内部に入り込んでいる。コネクタユニット１９を下向きに倒すと、ケースを外して回路の点検や交換を行うことができるようになっている。
【００６５】
このため、パネル５９の上端部にはケーブルＣを引き出すための切り開き穴６１を形成している。パネル５９はねじ３０で脚３に止めているが、弾性変形する爪を利用して係止しても良い。この実施形態では人が足を伸ばしてもケーブルＣやプラグ２７に当たることはないため、安全性に優れている利点がある。
【００６６】
（３）．第４実施形態（図９）
図９に示す第４実施形態では、コネクタユニット１９を幕板４に取付けている。この場合、コネクタユニット１９の背面に下向き鉤状のフック６２を設けて、これを、膜板４に形成した側断面上向き鉤状でかつ左右長手のブラケット１２に引っ掛けている。従って、コネクタユニット１９は着脱自在でかつ左右移動自在である。
【００６７】
この実施形態において、コネクタユニット１９におけるプラグ差し込み口は、上向きに開口させても良いし下向きに開口させても良いし、上下両方に開口させても良い（前向きに開口させても良い）。机上にも床面にも機器を置くことが多いため、上下両方に開口させるのが好ましいと言える。なお、ケース２２はスチール板等の金属板製である。コネクタユニット１９は幕板４に固定的に設けても良い。
【００６８】
（４）．第５実施形態（図１０）
図１０に示す第４実施形態では、コネクタユニット１９を天板２に固定している。スチール製の天板２は下向き突型で左右手の補強フレーム２ａを備えていることから、本実施形態では、隣合った補強フレーム２ａの間の空所にコネクタユニット１９を配置している。
【００６９】
一点鎖線で示すように、補強フレーム２ａで囲われた中空部にコネクタユニット１９を内蔵しても良い（この場合は、補強フレーム２ａには、コネクタユニット１９を嵌め入れるための窓穴を空ける必要がある）。
【００７０】
（５）．第６実施形態（図１１）
図１１に示す第６実施形態では、脚３は、その上部を構成する中空板状部３ｄの両端に足３ｅを設けた側面視門形に形成されている。そして、中空板状部３ｄにコネクタユニット１９を内蔵している。
【００７１】
足３ｅを中空に形成してこれにコネクタユニット１９を内蔵することも可能ではあるが、コネクタユニット１９を細長い形状に形成するのは加工コストが嵩む虞があるので、コストの面からは、スペースの制約が少ない中空板状部３ｄに設けるのが好ましいと言える（この点は第１実施形態も同じである）。
【００７２】
（６）．その他
本発明は上記の実施形態の他にも様々に具体化することができる。例えば、袖キャビネットで天板の一側部又は両側部を支持している机の場合、袖キャビネットにコネクタユニットを設けることも可能である。
【００７３】
例えば脚と天板とにコネクタユニットを別々に設けるなどすることも可能であり、このような形態も請求項の構成に含まれる（請求項１の「又は」は、ｏｒとａｎｄとを含んでいる。
【００７４】
また、間仕切パネルを脚に兼用しているタイプの机も多用されているが、このタイプの机の場合、間仕切パネルにコネクタユニットを内蔵しても良いのである。電源用のコネクタユニットと通信用のコネクタユニットとを、脚や天板等に別々に設けることも可能である。
【図面の簡単な説明】
【図１】第１実施形態を示す図で、  （Ａ）は全体の斜視図、  （Ｂ）は天板を取り外した状態での斜視図である。
【図２】分離斜視図である。
【図３】コネクタユニットを設けている脚の部分斜視図である。
【図４】机の平断面図である。
【図５】図３の  Ｖ−Ｖ視断面図である。
【図６】机の使用例を示す図である。
【図７】第２実施形態を示す図である。
【図８】第３実施形態を示す図である。
【図９】第４実施形態を示す図である。
【図１０】第５実施形態を示す図である。
【図１１】第６実施形態を示す図である。
【符号の説明】
１  机
２  天板
３  脚
４  幕板
８  パソコンのディスプレイ
１１  パソコンの本体
１８  窓穴
１９  コネクタユニット
２２  ケース
２３  電源用コンセント部
２４  通信用コネクタ部
２５，２６  避雷回路部
２７  プラグ
【図１】
2004351109.tif 000003
【図２】
2004351109.tif 000004
【図３】
2004351109.tif 000005
【図４】
2004351109.tif 000006
【図５】
2004351109.tif 000007
【図６】
2004351109.tif 000008
【図７】
2004351109.tif 000009
【図８】
2004351109.tif 000010
【図９】
2004351109.tif 000011
【図１０】
2004351109.tif 000012
【図１１】
2004351109.tif 000013